【手続補正書】
【提出日】平成29年11月6日(2017.11.6)
【手続補正１】
【補正対象書類名】明細書
【補正対象項目名】００８２
【補正方法】変更
【補正の内容】
【００８２】
本明細書中に引用される特許、特許文献、及び刊行物の完全な開示は、参照によりそれぞれが個々に組み込まれたかのようにその全体が本明細書に組み込まれる。多数の他の変形、変更及び追加も、本発明の精神から逸脱することなく、可能である。したがって、本発明は、上述した特定の実施形態に限定されるものと見なされるべきではなく、以下の特許請求の範囲及びその等価物の適正な範囲によってのみ限定される。本発明の実施態様の一部を以下の項目［１］−［１８］に記載する。
［１］
トランスファートレーを製造する方法であって、
患者の歯列弓のポジ形状及び１つ以上のブラケット類似体のポジ形状に対応する形状を有する、物理的モックアップを提供する工程と、
前記物理的モックアップ上にトランスファートレーを形成する工程であって、前記トランスファートレーが前記モックアップの少なくとも一部のネガ複製を含み、前記トランスファートレーを形成する工程が１つ以上の収容部を作成し、各収容部がブラケット類似体の形状の少なくとも一部を特徴として有する、工程と、
ブラケット類似体に関連するブラケットを前記１つ以上の収容部のうちの一収容部内に配置する工程と、
充填剤材料を少なくとも１つの収容部に導入する工程と、
を含む、方法。
［２］
前記トレーを形成することが、
前記物理的モックアップ上に弾性被覆用材を提供して前記被覆用材によって前記モックアップの歯側の少なくとも一部を覆う、ことと、
プラスチック被覆用材を、前記弾性被覆用材が前記プラスチック被覆用材と前記モックアップとの間に配置された状態で、前記モックアップ上に提供することと、
前記プラスチック被覆用材が、少なくとも前記モックアップの歯側を囲むように、及び前記プラスチック被覆用材が、前記プラスチック被覆用材と前記モックアップとの間の前記弾性被覆用材を抱持するように、前記モックアップ上の前記プラスチック被覆用材を変形させることと、
前記弾性被覆用材を硬化性材料に置き換えることと、
前記硬化性材料を硬化させることと、を含む、項目１に記載の方法。
［３］
各類似体の形状が、前記関連するブラケットの形状に近似するか又は相当し、及び、前記類似体のうちの少なくとも１つは、前記関連するブラケットとは異なる形状を有する、項目１又は２に記載の方法。
［４］
前記ブラケット類似体が、前記関連するブラケット本体より、より実体のない又はより少ない、アンダーカット又は凹部を含む、項目１に記載の方法。
［５］
前記関連するブラケットが前記収容部に配置されるとき、前記収容部及び前記関連するブラケットは１つ以上の空隙を画定し、前記充填剤材料が少なくとも１つの空隙を充填する、項目４に記載の方法。
［６］
前記充填剤材料が硬化性材料を含み、前記方法が前記硬化性材料を硬化させることを更に含む、項目４に記載の方法。
［７］
前記関連するブラケットが前記収容部に配置された後、前記充填剤材料が導入される、項目１に記載の方法。
［８］
前記充填剤材料が、前記収容部内への前記関連するブラケットの配置と同時に導入される、項目１に記載の方法。
［９］
前記充填剤材料が、シリコーン及びワックスからなる群から選択される、項目１に記載の方法。
［１０］
前記物理的モックアップを提供することが、
前記患者の歯列弓の少なくとも一部を複製する仮想歯列弓を提供する工程と、
前記仮想歯列弓用の歯列矯正ブラケットの仮想セットを提供する工程と、
類似体の仮想セットを提供する工程であって、各類似体が前記ブラケットの仮想セットのうちの一仮想ブラケットと関連しており、各前記仮想類似体が前記関連する仮想ブラケットの形状に近似するか又は相当し、前記類似体のうちの少なくとも１つの形状が前記関連するブラケットの形状と異なっている、工程と、
仮想モックアップを提供する工程であって、前記仮想歯列弓及び前記仮想類似体のセットが結合される、工程と、
前記仮想モックアップに基づいて前記物理的モックアップを製造する工程と、
を含む、項目１に記載の方法。
［１１］
少なくとも１つの仮想ブラケットの形状を修正して、前記仮想類似体のうちの少なくとも１つを形成する工程を更に含む、項目１０に記載の方法。
［１２］
前記トレーにチャネルを形成することを更に含み、前記チャネルは前記トレーの外面から前記収容部まで延在し、充填剤を前記収容部に導入することが、前記チャネルを介して前記充填剤を導入することを含む、項目１に記載の方法。
［１３］
ボンディング中の過剰な接着剤を制御する方法であって、
関連する歯列矯正ブラケットの少なくとも一部と適合する形態を備える収容部を有する、トランスファートレーを提供することと、
関連するブラケットを収容部内に配置することと、
充填剤材料を前記収容部に導入することであって、前記充填剤が前記ブラケットの配置と同時に、又は、その後に導入されることと、
を含む、方法。
［１４］
前記ブラケット及び前記収容部が協働して空隙を画定し、前記充填剤が前記空隙に導入される、項目１３に記載の方法。
［１５］
剥離剤を前記収容部に適用することを更に含む、項目１３に記載の方法。
［１６］
前記トランスファートレーが、前記収容部に隣接するチャネルを含み、前記充填剤が前記チャネルを介して前記収容部に導入される、項目１３に記載の方法。
［１７］
前記充填剤が、ワックス及びシリコーンからなる群から選択される体積が一定な充填剤である、項目１３〜１６のいずれか一項に記載の方法。
［１８］
前記トランスファートレーを提供する工程が、
前記患者の歯列弓の少なくとも一部を複製する仮想歯列弓を提供する工程と、
前記仮想歯列弓用の歯列矯正ブラケットの仮想セットを提供する工程と、
類似体の仮想セットを提供する工程であって、各類似体が前記ブラケットの仮想セットのうちの一仮想ブラケットと関連しており、各前記仮想類似体が前記関連する仮想ブラケットの形状に近似するか又は相当し、前記類似体のうちの少なくとも１つの形状が前記関連するブラケットの形状と異なっている、工程と、
仮想モックアップを提供する工程であって、前記仮想歯列弓及び前記仮想類似体のセットが結合される、工程と、
前記仮想モックアップの少なくとも一部にわたって延在する仮想トレー本体を得る工程と、
ラピッドプロトタイピングによって前記トランスファートレーを形成する工程であって、前記トランスファートレーが、前記仮想トレー本体及び仮想収容部にそれぞれ対応する、物理的トレー本体及び物理的収容部を含む、工程と、
を含む、項目１３〜１６に記載の方法。
【手続補正２】
【補正対象書類名】特許請求の範囲
【補正対象項目名】全文
【補正方法】変更
【補正の内容】
【特許請求の範囲】
【請求項１】
トランスファートレーを製造する方法であって、
患者の歯列弓のポジ形状及び１つ以上のブラケット類似体のポジ形状に対応する形状を有する、物理的モックアップを提供する工程と、
前記物理的モックアップ上にトランスファートレーを形成する工程であって、前記トランスファートレーが前記モックアップの少なくとも一部のネガ複製を含み、前記トランスファートレーを形成する工程が１つ以上の収容部を作成し、各収容部がブラケット類似体の形状の少なくとも一部を特徴として有する、工程と、
ブラケット類似体に関連するブラケットを前記１つ以上の収容部のうちの一収容部内に配置する工程と、
充填剤材料を少なくとも１つの収容部に導入する工程と、
を含む、方法。
【請求項２】
前記関連するブラケットが収容部に配置されるとき、前記収容部及び前記関連するブラケットは１つ以上の空隙を画定し、前記充填剤材料が少なくとも１つの空隙を充填する、請求項１に記載の方法。
【請求項３】
前記トレーにチャネルを形成することを更に含み、前記チャネルは前記トレーの外面から前記収容部まで延在し、充填剤を前記収容部に導入することが、前記チャネルを介して前記充填剤を導入することを含む、請求項１に記載の方法。
【請求項４】
トランスファートレーの空隙を充填する方法であって、
関連する歯列矯正ブラケットの少なくとも一部と適合する形態を備える収容部を有する、トランスファートレーを提供することと、
関連するブラケットを収容部内に配置することと、
充填剤材料を前記収容部に導入することであって、前記充填剤が前記ブラケットの配置と同時に、又は、その後に導入されることと、
を含む、方法。
【請求項５】
前記トランスファートレーを提供する工程が、
患者の歯列弓の少なくとも一部を複製する仮想歯列弓を提供する工程と、
前記仮想歯列弓用の歯列矯正ブラケットの仮想セットを提供する工程と、
類似体の仮想セットを提供する工程であって、各類似体が前記ブラケットの仮想セットのうちの一仮想ブラケットと関連しており、各前記仮想類似体が前記関連する仮想ブラケットの形状に近似するか又は相当し、前記類似体のうちの少なくとも１つの形状が前記関連するブラケットの形状と異なっている、工程と、
仮想モックアップを提供する工程であって、前記仮想歯列弓及び前記仮想類似体のセットが結合される、工程と、
前記仮想モックアップの少なくとも一部にわたって延在する仮想トレー本体を得る工程と、
ラピッドプロトタイピングによって前記トランスファートレーを形成する工程であって、前記トランスファートレーが、前記仮想トレー本体及び仮想収容部にそれぞれ対応する、物理的トレー本体及び物理的収容部を含む、工程と、
を含む、請求項４に記載の方法。